(57)【要約】【課題】  ディスクを確実に保持できるとともに、挿排時にはスムーズに通過させ、ディスク装置内の所要スペースを節約できるディスク収納装置及びディスク装置を提供する。【解決手段】  複数のディスクＤを個別に保持する複数のトレイ２５０を積層し、その近傍にそれぞれを昇降させるドラムカム２１０を設ける。トレイ２５０におけるディスク挿入側の端部に、トレイ可動部２５０Ａを設ける。トレイ可動部２５０Ａは、屈曲可能なヒンジ部２５０Ｂを介して、底面部２５０−１２に回動可能に且つ一体的に形成する。トレイ可動部２５０Ａは、ディスクＤの外周に対応して隆起した可動壁部２５０−２１を有する。トレイ可動部２５０Ａを、スプリング４６０によって付勢する。トレイ可動部２５０Ａに、スライドリンク１１４のトレイ駆動部１１４−１によって押し下げられるテーパカム部２５０−２２を設ける。【選択図】  図１
2006216186.tif 000002
【特許請求の範囲】
【請求項１】
複数のディスクを個別に保持する複数のディスク保持部を備え、前記ディスク保持部が、これに挿排されるディスクが移動する空間が形成されるように、互いの間隔を可変に設けられたディスク収納装置において、
前記ディスク保持部におけるディスク挿入側の端部に、ディスクの平面と平行な方向に対する角度を変えることにより、ディスクの移動を許容する許容位置と、ディスクの移動を規制する規制位置との間を変位可能な可動部が設けられていることを特徴とするディスク収納装置。
【請求項２】
前記ディスク保持部は、ディスクの一方の面を支持する底面部と、前記可動部の近傍に設けられ、前記底面部との間の空間にディスクが通過する押え部とを有することを特徴とする請求項１記載のディスク収納装置。
【請求項３】
前記ディスク保持部におけるディスクの外縁に対応する端部には、ディスクに接触してこれを保持する閉位置と、ディスクから離れてこれを解放する開位置との間を変位可能に設けられた保持アームが設けられていることを特徴とする請求項１又は請求項２に記載のディスク収納装置。
【請求項４】
前記可動部は、規制位置にあるときに、ディスクの外縁に当接する壁部を有することを特徴とする請求項１〜３のいずれか１項に記載のディスク収納装置。
【請求項５】
ディスク収納時に、前記可動部を規制位置に付勢する第１の付勢手段と、
ディスク挿排時に、前記可動部を許容位置に付勢する第２の付勢手段とを有することを特徴とする請求項１〜４のいずれか１項に記載のディスク収納装置。
【請求項６】
前記第１の付勢手段は、屈曲された一本の線状ばねであることを特徴とする請求項５記載のディスク収納装置。
【請求項７】
前記第２の付勢手段は、ディスクの平面と平行な方向にスライド移動可能なスライド部材であることを特徴とする請求項５又は請求項６記載のディスク収納装置。
【請求項８】
ディスク挿入位置と前記ディスク保持部との間で移動するディスクに当接することにより、前記ディスク保持部側若しくはディスク挿入位置へ誘導する誘導位置と、ディスクから退避する退避位置との間を変位可能なローディングアームを有することを特徴とする請求項１〜７のいずれか１項に記載のディスク収納装置。
【請求項９】
前記ディスク保持部に収納されたディスクに当接することにより、前記ディスクを前記ディスク保持部から押し出すイジェクトアームを有し、
前記可動部と前記イジェクトアームの動作を同期させるリンク機構を有することを特徴とする請求項１〜８のいずれか１項に記載のディスク収納装置。
【請求項１０】
請求項１〜９のいずれか一項に記載されたディスク収納装置を備えたディスク装置において、
複数のディスク保持部は積層配置され、
選択対象のディスク保持部から解放されたディスクを再生する再生手段と、前記再生手段を、前記ディスク保持部の開離によって形成された空間内である振込位置と当該空間外である待機位置との間で移動させる移動機構とを有し、
前記待機位置にある前記再生手段は、平面方向から見て、挿排されるディスクと重なる位置に設けられていることを特徴とするディスク装置。
【発明の詳細な説明】
【技術分野】
【０００１】
本発明は、複数のディスク保持部にディスクを収納するディスク収納装置に係り、特に、ディスク再生時において、ディスク保持部を移動させて空間を形成し、そこに再生手段を挿入してディスクの再生を行うことが可能なディスク収納装置及びディスク装置の改良に関するものである。
【背景技術】
【０００２】
従来から、ディスクを収納したマガジンを装置に装着し、このマガジン内から引き出されたディスクを自動的に再生するタイプのディスク装置が広く普及している。このようなディスク装置は、ディスク再生の度に、ディスクを一枚づつ挿入・排出する操作を行う必要がない点で、操作性に優れている。
【０００３】
しかしながら、装置に対して着脱されるマガジンには、外部に取り出された際に、それが保持する複数のディスクを保護するために、十分な強度が要求されるため、マガジン本体の壁はかなり厚くなり、その結果、マガジン及びこれを装着する装置全体が大型化する。また、マガジン内でディスクを保持するトレイ等を引き出すために、マガジン側壁の内面に、ガイド用の溝やレール部が設けられる。このような溝やレール部を形成すると、マガジン側壁の厚さがさらに増大すると共に、隣接するディスクホルダ間の間隔も広くなるため、マガジンの高さ寸法が増大し、これを装着する装置も大型化する。
【０００４】
さらに、マガジンに収納されたディスクを引き出して再生するために、装置内に十分な空間を設ける必要があり、装置が大型化する。特に、車載用ディスク装置等のように、ＤＩＮサイズと呼ばれる１８０×５０（ｍｍ）、あるいはダブルＤＩＮサイズと呼ばれる１８０×１００（ｍｍ）に収める必要がある場合には、小型化の要請が高い。
【０００５】
これに対処するため、マガジンを分割式として、装置に装着されたマガジンを分割することによって形成されたスペースに、ディスク再生手段であるドライブユニットを振り込ませて、マガジンからディスクを引き出すことなく再生できるようにしたディスク装置が開発されている（特許文献１、特許文献２参照）。かかるディスク装置では、ディスクを引き出して再生するためのスペースが必要ないので、全体として装置の小型化を図ることができる。
【０００６】
さらに、着脱型のマガジンを使用せずに、あらかじめ装置内に、複数のディスクを保持可能なディスク保持部（トレイ等）を積層状態で組み込み、このディスク保持部に対して、ディスク挿入口から挿入したディスクを自動的に収納すると共に、収納したディスクを自動的に排出できるディスク装置が提案されている。かかるディスク装置においては、マガジンの厚さやマガジン着脱のための開口及び機構等が不要となるため、装置の小型化を実現できる。特に、特許文献３に開示された発明は、上記の分割式のマガジンのようにトレイを上下に退避可能に設け、トレイ間にできた空間にドライブユニットを挿入することによって、ディスクを引き出すことなく再生できるようにして、より一層の小型化を図ったものである。
【０００７】
【特許文献１】特開平１１−２３２７５３号公報
【特許文献２】特開平１１−３０６６３７号公報
【特許文献３】特開２０００−１９５１３４号公報
【発明の開示】
【発明が解決しようとする課題】
【０００８】
ところで、上記のような従来技術におけるトレイ等のディスク保持部には、個々のディスクを保持するための構造として、一般的に、ディスクの外縁を保持する部材や機構が採用されている。但し、ディスクの外縁を保持するためには、少なくとも対向する外縁側から保持する必要がある。従って、例えば、ディスク保持部として扇形形状や円弧状のプレートを用いた場合には、ディスクの外縁を少なくとも対向する２箇所で保持するために、ディスクの半円以上の円弧を有する構造が必要となる。しかし、かかる場合には、円弧の部分がディスクの移動の邪魔にならないようにするために、円弧の開口側を、ディスク装置のディスク挿入口に向ける必要があり、幅方向のスペースをとる。
【０００９】
さらに、ディスクを再生するための再生機構を振り込むタイプのディスク装置においては、このようなディスク保持部に隣接して再生機構を配置する必要があるため、さらに幅方向のスペースをとる。このように、ディスク保持部に要求される大きさや方向、再生機構の配置位置によって、ディスク装置内における所要スペースが大きくなるため、ディスク装置が全体として大型化する。
【００１０】
本発明は、以上のような従来技術の問題点を解決するために提案されたものであり、その目的は、収納時にはディスクを確実に保持しつつ、挿排時にはディスクをスムーズに通過させるとともに、ディスク装置内の所要スペースを節約できるディスク収納装置及びディスク装置を提供することにある。
【課題を解決するための手段】
【００１１】
以上のような目的を達成するために、請求項１の発明は、複数のディスクを個別に保持する複数のディスク保持部を備え、前記ディスク保持部が、これに挿排されるディスクが移動する空間が形成されるように、互いの間隔を可変に設けられたディスク収納装置において、前記ディスク保持部におけるディスク挿入側の端部に、ディスクの平面と平行な方向に対する角度を変えることにより、ディスクの移動を許容する許容位置と、ディスクの移動を規制する規制位置との間を変位可能な可動部が設けられていることを特徴とする。
以上のような請求項１の発明では、ディスク挿入側の端部に設けられた可動部の角度が変わることにより、ディスクの移動を規制できる状態と、ディスクの移動を許容する状態とに切り換えることができるので、可動部によりディスク保持のための部分を拡大させてディスク保持を確実化しつつ、ディスクの通過経路の確保が可能となる。
【００１２】
請求項２の発明は、請求項１のディスク収納装置において、前記ディスク保持部は、ディスクの一方の面を支持する底面部と、前記可動部の近傍に設けられ、前記底面部との間の空間にディスクが通過する押え部とを有することを特徴とする。
以上のような請求項２の発明では、底面部と押え部によって、可動部近傍を通過するディスクの浮きが防止されるので、ディスクの正確且つスムーズな移動を実現できる。
【００１３】
請求項３の発明は、請求項１又は請求項２のディスク収納装置において、前記ディスク保持部におけるディスクの外縁に対応する端部には、ディスクに接触してこれを保持する閉位置と、ディスクから離れてこれを解放する開位置との間を変位可能に設けられた保持アームが設けられていることを特徴とする。
以上のような請求項３の発明では、可動部と保持アームとの組み合わせによって、ディスク保持部におけるディスク保持をより確実にすることができる。
【００１４】
請求項４の発明は、請求項１〜３のいずれか１項のディスク収納装置において、前記可動部は、規制位置にあるときに、ディスクの外縁に当接する壁部を有することを特徴とする。
以上のような請求項４の発明では、可動部に設けられた壁部という簡単な構造によって、ディスクの移動を規制できる。
【００１５】
請求項５の発明は、請求項１〜４のいずれか１項のディスク収納装置において、ディスク収納時に、前記可動部を規制位置に付勢する第１の付勢手段と、ディスク挿排時に、前記可動部を許容位置に付勢する第２の付勢手段とを有することを特徴とする。
以上のような請求項５の発明では、第１の付勢手段と第２の付勢手段という簡単な構成によって、可動部の変位を制御することができる。
【００１６】
請求項６の発明は、請求項５のディスク収納装置において、前記第１の付勢手段は、屈曲された一本の線状ばねであることを特徴とする。
以上のような請求項６の発明では、単純な線状ばねによって第１の付勢手段を実現できるので、ディスク保持部を積層した場合にも邪魔にならず、所要スペースが小さい。
【００１７】
請求項７の発明は、請求項５又は請求項６のディスク収納装置において、前記第２の付勢手段は、ディスクの平面と平行な方向にスライド移動可能なスライド部材であることを特徴とする。
以上のような請求項７の発明では、スライド部材によって第２の付勢手段を実現できるので、ディスク装置の内側等に設けて他の部材の邪魔にならないようにしつつ、所要スペースを節約できる。
【００１８】
請求項８の発明は、請求項１〜７のいずれか１項のディスク収納装置において、ディスク挿入位置と前記ディスク保持部との間で移動するディスクに当接することにより、前記ディスク保持部側若しくはディスク挿入位置へ誘導する誘導位置と、ディスクから退避する退避位置との間を変位可能なローディングアームを有することを特徴とする。
以上のような請求項８の発明では、ディスク挿入位置から移動してきたディスクの進路を、ローディングアームに当接させることによって変えることができる。従って、ディスク装置内におけるディスク保持部の配置位置と方向の自由度が増す。
【００１９】
請求項９の発明は、請求項１〜８のいずれか１項のディスク収納装置において、前記ディスク保持部に収納されたディスクに当接することにより、前記ディスクを前記ディスク保持部から押し出すイジェクトアームを有し、前記可動部と前記イジェクトアームの動作を同期させるリンク機構を有することを特徴とする。
以上のような請求項９の発明では、リンク機構によって、ディスク収納時には可動部を許容位置とするとともに、イジェクトアームをディスクから離れた待機位置とし、ディスク排出時には可動部を許容位置とするとともに、イジェクトアームをディスクに当接して押し出す排出位置とすることによって、ディスクの挿入、排出をスムーズに行うことができる。
【００２０】
請求項１０の発明は、請求項１〜９のいずれか１項のディスク収納装置を備えたディスク装置において、複数のディスク保持部は積層配置され、選択対象のディスク保持部から解放されたディスクを再生する再生手段と、前記再生手段を、前記ディスク保持部の開離によって形成された空間内である振込位置と当該空間外である待機位置との間で移動させる移動機構とを有し、前記待機位置にある前記再生手段は、平面方向から見て、挿排されるディスクと重なる位置に設けられていることを特徴とする。
以上のような請求項１０の発明では、可動部によってディスク保持部によるディスク保持を確実にしつつ、ディスクの通過可能な空間を大きくとることができ、さらに、再生手段を、挿排されるディスクと重なるようにディスク保持部に近接配置できるので、装置全体を大幅に小型化できる。
【発明の効果】
【００２１】
以上のような本発明によれば、収納時にはディスクを確実に保持しつつ、挿排時にはディスクをスムーズに通過させるとともに、ディスク装置内の所要スペースを節約可能なディスク収納装置及びディスク装置を提供することができる。
【発明を実施するための最良の形態】
【００２２】
以下には、本発明を適用した車載用のディスク装置の一つの実施の形態（以下、本実施形態とする）について、図面を参照して具体的に説明する。なお、以下の図面の説明においては、ディスク装置の正面側を前方、背面側を後方とし、上下左右の方向は、ディスク装置の正面側から見た場合の方向に対応するものとする。
【００２３】
［Ａ．全体構成］
本実施形態は、図１及び図２、図９〜１２に示す通り、以下のような概略構成を有しており、特に、トレイ２５０の構造に特徴を有している。
（１）ディスクＤを個別に保持可能なトレイ２５０
（２）トレイ２５０が多数積層されたシャーシ（図示せず）
（３）トレイ２５０を分割昇降させるドラムカム２１０
（４）ピックシャーシ１１０に設けられ、分割されたトレイ２５０間に振り込まれるピックアーム１３０
（５）ピックアーム１３０上に配設され、ディスクＤを再生する機構を備えたドライブシャーシ１２０
なお、請求項に記載のディスク保持部はトレイ２５０、移動機構はピックアーム１３０及びこれを回動させるための機構に対応する。また、ピックシャーシ１１０は、ディスク装置のシャーシ内に昇降可能に設けられているが、その詳細は省略する。
【００２４】
［Ｂ．各部の構成］
［１．トレイ（図３〜８）］
各トレイ２５０は、図３（ａ）（ｂ）に示すように、ディスクＤの外縁に沿った円弧状のプレートである。トレイ２５０は、ディスクＤの外周を規制するように隆起した固定壁部２５０−１１と、ディスクＤの下面を支える底面部２５０−１２とが一体で形成されている。固定壁部２５０−１１の両端を結ぶ円弧は、ディスクＤの出し入れができるように、ディスクＤの外径よりも僅かに大きく設定されている。そして、固定壁部２５０−１１の前端近傍には、トレイ２５０の底面部２５０−１２との間でディスクＤの浮きを防止（ディスクローディング時及びイジェクト時のみ）する略Ｌ字状の小片であるディスク押え部２５０−１４が設けられている。
【００２５】
トレイ２５０におけるディスク挿入側の端部には、トレイ可動部２５０Ａが設けられている。このトレイ可動部２５０Ａは、屈曲可能で可とう性のあるヒンジ部２５０Ｂを介して、底面部２５０−１２に回動可能に且つ一体的に形成されている。トレイ可動部２５０Ａは、ディスクＤの外周に対応して隆起した可動壁部２５０−２１を有している。この可動壁部２５０−２１は、固定壁部２５０−１１と協働して、収納されたディスクＤの移動を規制する位置（図３の例では前方）に設けられている。
【００２６】
また、トレイ可動部２５０Ａは、スプリング４６０によって付勢されている。このスプリング４６０は、図４（ａ）〜（ｃ）に示すように、一本の線状部材を屈曲させたものであり、底面部２５０−１２と一体に形成されたスプリング保持部２５０−１３の裏面（図では実線で示す）に取り付けられている。スプリング４６０の先端部４６０−１は、トレイ可動部２５０Ａに係合している。先端部４６０−１の付勢力は、スプリング保持部２５０−１３により、トレイ可動部２５０Ａが所定の角度（図３の例では略水平方向）に保たれるように規制されている。さらに、トレイ可動部２５０Ａには、後述するスライドリンク１１４のトレイ駆動部１１４−１によって押し下げられるテーパカム部２５０−２２が設けられている。このテーパカム部２５０−２２は、トレイ可動部２５０Ａの前端から突出した小片であり、左が傾斜面、右が水平面となっている。
【００２７】
各トレイ２５０には、図５、図６に示すように、穴２５０−２，３が形成されている。これらの各穴２５０−２，３に対して、シャーシに直立して固定された２本のシャフト（図示せず）が挿通されることにより、複数のトレイ２５０が積層配置されている。従って、各トレイ２５０は、このシャフトに沿って上下方向に昇降自在に設けられている。また、トレイ２５０の周囲の３ヶ所には、後述するドラムカム２１０のディスク選択カム溝２１０−１に当接することにより、上下方向に付勢される爪部２５０−４，５，６が、一体的に形成されている。
【００２８】
各トレイ２５０の左端には、ディスクを保持する保持アーム２５２が、トレイ２５０に一体で形成された軸に回動可能に支持されている。トレイ２５０の右端近傍にも、同様の形状の保持アーム２５３が、トレイ２５０に一体で形成された軸を中心として、回動可能に支持されている。保持アーム２５２，２５３には、トレイ２５０の底面部２５０−１２との間でディスクＤの外縁を保持する略Ｌ字状の保持爪２５２−２，２５３−２が形成されており、保持アーム２５２，２５３は、スプリング２５２−３，２５３−３により、保持爪２５２−２，２５３−２がディスクＤを保持する方向に付勢されている。
【００２９】
また、保持アーム２５２，２５３には、後述するドラムカム２１０に形成されたアーム開閉カム溝２１０−２に当接する突起部２５２−１，２５３−１が、一体で形成されている。これにより、図６、図８に示すように、ドラムカム２１０の回転に伴って、アーム開閉カム溝２１０−２の段差の作用で突起部２５２−１，２５３−１が付勢され、保持アーム２５２，２５３がスプリング２５２−３，２５３−３の付勢力に抗して回動するので、保持爪２５２−２，２５３−２が、ディスクＤの保持を解放する構成となっている。さらに、各トレイ２５０には、積層状態において、隣接するトレイ２５０の保持爪２５２−２，２５３−２が入ることにより、保持アーム２５２，２５３の回動を規制するロック穴２５０−７が形成されている。
【００３０】
以上の構成により、トレイ可動部２５０Ａに外力が加わって、トレイ可動部２５０Ａがスプリング４６０の付勢力に抗して下方に回動すると、ディスクＤは出入りが可能な状態となるが、この外力を取り去りトレイ可動部２５０Ａがスプリング４６０の付勢力により元の状態に戻ると、ディスクＤは排出できない状態となる。また、保持アーム２５２に掛けられたスプリング２５２−３により、ディスクＤはトレイ２５０内に付勢される。また、ディスクＤは、保持アーム２５２，２５３によって、浮き上がることも規制されるため、トレイ２５０に確実に収納、保持される。
【００３１】
なお、積層されたトレイ２５０の上下には、図７に示すように、トレイトッププレート１５０及びトレイボトムプレート１５１が配設されている。トレイトッププレート１５０は、図示しない昇降機構によって、シャーシ内を昇降可能に構成されている。トレイボトムプレート１５１は、トレイトッププレート１５０との間にトレイ２５０を挟持して、スプリング１５３等によって互いに接近する方向に付勢されている。
【００３２】
［２．ドラムカム（図７、図８）］
トレイ２５０を昇降させるためのドラムカム２１０は、円筒状の部材であり、その外側面には、ディスク選択カム溝２１０−１、アーム開閉カム溝２１０−２が形成されている。ディスク選択カム溝２１０−１は、選択対象のトレイ２５０の爪部２５０−４，５，６が接するカムである。アーム開閉カム溝２１０−２は、選択対象のトレイ２５０に設けられた保持アーム２５２の突起部２５２−１，２５３−１が通過するカムである。
【００３３】
このディスク選択カム溝２１０−１は、ドラムカム２１０の回動に従って、選択されたトレイ２５０を、所定の高さに昇降させる階段状となっている。アーム開閉カム溝２１０−２は、ディスク選択カム溝２１０−１と平行に且つディスク選択カム溝２１０−１よりも浅く形成されたカムである。このアーム開閉カム溝２１０−２は、図８（ａ）〜（ｃ）に示すように、その溝終端Ｔに達すると溝が浅くなり、ドラムカム２１０の外側面と同じ高さとなるので、この高低差によって突起部２５２−１，２５３−１が付勢されて保持アーム２５２が回動し、ディスクＤが解放される構成となっている。
【００３４】
ドラムカム２１０は、そのディスク選択カム溝２１０−１の先端が、所望のトレイ２５０の爪部２５０−４，５，６と、その下方のトレイ２５０の爪部２５０−４，５，６との間に入ることにより、所望のトレイ２５０のみが選択され、他のトレイ２５０は上下に退避するように構成されている。また、ディスクＤの再生時には、選択されたトレイ２５０も、ディスクＤから退避するように、構成されている。
【００３５】
［３．ピックスイングカムプレート（図１、図２、図９〜１３）］
ピックスイングカムプレート１３８は、ピックシャーシ１１０の底面に前後にスライド移動可能に取り付けられている。このピックスイングカムプレート１３８には、図１３に示すように、その左端部が上方に折り曲げられ、さらにその上部で内側に段曲げされた押上部１３８−２が形成されている。この押上部１３８−２は、図１に示すように、後述するクランプアーム１２４を下から押し上げることにより、ディスクＤが通過するためのクリアランスを確保するものである。また、ピックスイングカムプレート１３８の左側面１３８−６には、後述するローディングアーム２５６を制御する絞り部１３８−３と、穴１３８−５が形成されている。
【００３６】
ピックスイングカムプレート１３８の底面に形成された溝若しくは穴である振込みカム１３８−１は、図２に示すように、後述するピックスイングアーム１３１のローラ１３１−２が挿通されており、後部が前後方向の直線状、前部が円弧状となっている。このため、ピックスイングカムプレート１３８が後方に移動すると、ピックスイングアーム１３１が時計方向に回動し、ピックアーム１３０が反時計方向に回動するように構成されている。さらに、ピックスイングカムプレート１３８には、後述するリンクアーム１１３の後端部１１３−３を付勢する付勢部１３８−４が設けられている。
【００３７】
［４．ローディングアーム（図９〜図１２）］
ローディングアーム２５６は、図９〜図１２に示すように、ピックシャーシ１１０の左上部にかしめられた軸２５６−１と回動自在に係合している。ローディングアーム２５６は、ピックシャーシ１１０との間に設けられたスプリング４５６によって、時計方向に付勢されている。また、ローディングアーム２５６の左手前には、突起部２５６−３が形成されている。突起部２５６−３は、ピックスイングカムプレート１３８のスライド移動に従って、左側面１３８−６の内側に接し、穴１３８−５に入ることにより、また、絞り部１３８−３に接することにより、その回動角度が設定される構成となっている。さらに、ローディングアーム２５６には、図１１に示すように、挿入・排出されるディスクＤの左縁が当接しながら通過することにより、ディスクＤの方向を変える略コの字状のガイド部２５６−４が設けられている。
【００３８】
［５．スライドリンク（図１４〜１８）］
スライドリンク１１４は、図１４に示すように、ピックシャーシ１１０の前壁に左右にスライド移動可能に設けられた部材である。このスライドリンク１１４は、左右の移動端の中間位置に待機するように、ピックシャーシ１１０との間に配設されたスプリング４１４によって付勢されている。スライドリンク１１４の左部後方には、図１７及び図１８に示すように、後述するリンクアーム１１３の前端部１１３−４によって付勢される突出部１１４−３が設けられている。
【００３９】
そして、スライドリンク１１４の右端近傍の上部には、後方に突出した小片であるトレイ駆動部１１４−１、駆動補助部１１４−２が設けられている。トレイ駆動部１１４−１は、図１５及び図１６に示すように、スライドリンク１１４の左右のスライド移動に従って、トレイ可動部２５０Ａのテーパカム部２５０−２２に接離するように構成されている。駆動補助部１１４−２は、スライドリンク１１４の左右のスライド移動に従って、スプリング保持部２５０−１３の底面下部に接離するように構成されている。さらに、図１７及び図１８に示すように、スライドリンク１１４の右端は、その左右のスライド移動に従って、後述するリンクアーム１４４の後端部１４４−２に接離するように構成されている。
【００４０】
［６．リンクアーム（図１０〜１２、図１７〜２０）］
リンクアーム１１３，１４４は、ピックシャーシ１１０におけるスライドリンク１１４の左右に、回動可能に設けられている。リンクアーム１１３は、図１９に示すように、円形のプレートに突出片が設けられたものであり、一方の突出片が後端部１１３−３、他方の突出片が前端部１１３−４となっている。リンクアーム１４４は、図２０（ａ）（ｂ）に示すように、略Ｌ字形のプレートであり、後端部１４４−２は、スライドリンク１１４の右端に付勢されるように構成されている。リンクアーム１４４の右端には、後述するリンクプレート１４３のギア溝１４３−１に係合するギア溝１４４−３が設けられている。
【００４１】
［７．リンクプレート、イジェクトアーム（図１０〜１２、図１７〜１８、図２１）］
リンクプレート１４３は、ピックシャーシ１１０の右側面に、前後にスライド移動可能に設けられている。リンクプレート１４３の前端には、リンクアーム１４４のギア溝１４４−３に係合するギア溝１４３−１が設けられている。また、リンクプレート１４３の後端には、イジェクトアーム２５４の端部が回動可能に連結されている。
【００４２】
イジェクトアーム２５４は、ピックシャーシ１１０の後部のトレイ２５０近傍に、回動可能に設けられている。このイジェクトアーム２５４は、その回動によって、排出対象となるディスクＤを排出方向に付勢する部材である。そして、イジェクトアーム２５４は、ピックシャーシ１１０との間に配設されたスプリング２５４−１によって、ディスクＤから退避する方向に付勢されている。
【００４３】
［８．ピックアーム（図１、図２）］
ピックアーム１３０は、図１、図２に示すように、ピックシャーシ１１０の左底面上部に、軸１３０−１を支軸として回動自在に取り付けられている。また、ピックアーム１３０には、後述するピックスイングアーム１３１の先端に回動可能に連結されている。さらに、ピックアーム１３０には、ターンテーブルやピックアップ（図示せず）等、ディスク再生に必要な部材を備えたドライブシャーシ１２０、ターンテーブルとの間でディスクＤを挟持するクランパリング１２５等を備えたクランプアーム１２４が設けられている。
【００４４】
［９．ピックスイングアーム（図１，２）］
ピックスイングアーム１３１は、ピックアーム１３０とピックシャーシ１１０の間に配設されており、ピックシャーシ１１０の穴に係合する軸１３１−１を中心に、ピックシャーシ１１０に回動自在に取り付けられている。ピックスイングアーム１３１の軸１３１−１の左裏面には、ローラ１３１−２が回転自在に取り付けられている。このローラ１３１−２は、ピックスイングカムプレート１３８の振込みカム１３８−１に挿通されている。ピックスイングアーム１３１の先端部は、ピックアーム１３０に連結されており、ピックスイングアーム１３１の回動に連動して、ピックアーム１３０が回動するように構成されている。
【００４５】
［１０．ローディングローラ（図１、図２）］
ピックシャーシ１１０の前部には、ローディングローラ４０１が設けられている。このローディングローラ４０１は、駆動機構によって回動可能に且つ、図示しないディスクガイドとの間でディスクＤを挟持可能に設けられており、挿排されるディスクＤを移動させる部材である。
【００４６】
なお、上記のドラムカム２１０、ピックスイングカムプレート１３８、ローディングローラ４０１等は、各部に設置されたスイッチ若しくはセンサからの信号に基づいて、制御回路がモータ等の駆動源を有する駆動機構を制御することにより、回動若しくはスライド移動するように構成されているが、そのための構造は、現在又は将来において適用可能なものが種々考えられるものであり、特定のものには限定されない。
【００４７】
［Ｃ．作用］
上述したような本実施形態の動作について、まず、ディスク装置の動作の概要を説明し、ディスクのローディング動作、イジェクト動作、再生動作に分けて説明する。なお、ドラムカム２１０によるディスクの分割動作については、説明を省略する。
【００４８】
［１．動作の概要］
まず、ディスク装置の動作の概要を説明する。すなわち、図１に示すように、ディスク挿入口から挿入、排出されるディスクＤは、ローディングローラ４０１によって移動して、クランパリング１２５とターンテーブルとの間を通過する。このとき、トレイ可動部２５０Ａは、図２２（ｃ）に示すように、下方に回動しており、ディスクＤの移動が許容されている。挿入されたディスクＤが各トレイ２５０の上部に収納され、若しくはディスクＤが各トレイ２５０から排出されると、図２２（ｂ）に示すように、トレイ可動部２５０Ａが上方に復帰する。これにより、収納されたディスクＤの移動が規制され、外部からのディスクＤの挿入ができなくなる。なお、図２２（ｃ）（ｂ）におけるトレイ可動部２５０Ａは、図９におけるＡ−Ａ断面である。
【００４９】
ディスクＤの再生時には、所望のディスクＤが収納されたトレイ２５０から、その上下のトレイ２５０を分割退避させる。このようにトレイ２５０が退避することによって生じたスペースに、図２に示すように、ターンテーブルとクランパリング１２５との間に所望のディスクＤが入るように、ドライブシャーシ１２０を振り込ませる。
【００５０】
そして、クランプアーム１２４を下降させることにより、ターンテーブルとクランパリング１２５によってディスクＤを挟持する。さらに、スピンドルモータによってターンテーブル上のディスクＤを回転させて、送り機構が移動させる光学ピックアップによって、その情報を読み取る。
【００５１】
［２．ローディング動作］
ディスクＤをトレイ２５０に対して収納する時には、ピックシャーシ１１０を最下段に待機させて、トレイ２５０群を昇降させることにより、各トレイ２５０をディスク挿入口に対して位置決めする。そして、ドラムカム２１０によるトレイ２５０の分割が行われるが、ピックアーム１３０の振り込みスペースを確保する必要はないので、選択対象のトレイ２５０とそれ以外のトレイ２５０との開き量は小さい。
【００５２】
このとき、ピックスイングカムプレート１３８を、図９の矢印Ｂ方向に所定量移動させる。これにより、リンクアーム１１３が反時計方向に回動し、スライドリンク１１４が右に移動する。スライドリンク１１４に一体で形成されたトレイ駆動部１１４−１と駆動補助部１１４−２は、図１６、図２２（ｃ）に示すように、トレイ可動部２５０Ａに形成されたテーパカム部２５０−２２の傾斜面とスプリング保持部２５０−１３の底面下部に当接するので、スプリング保持部２５０−１３に連続して形成されている底面部２５０−１２が保持されながら、トレイ可動部２５０Ａが押し下げられて回動し、ディスクＤの通過経路が確保される。また、ピックスイングカムプレート１３８の移動によって、ローディングアーム２５６の突起部２５６−３が、左側面１３８−６の穴１３８−５に入るので、スプリング４５６の付勢力によって、待機位置からローディング位置（移動するディスクＤにガイド部２５６−４が接する位置）に回動する。
【００５３】
この状態で、ディスク挿入口からディスクＤを挿入すると、ディスク挿入をスイッチ若しくはセンサ（図示せず）が検知し、ローディングローラ４０１が回転を開始して、図１１、図２２（ｃ）に示すように、ディスクＤが引き込まれる。このとき、トレイ可動部２５０Ａは既に回動しているので、ディスクＤはトレイ可動部２５０Ａと干渉することなく引き込まれる（Ｄ−１の位置）。このようなディスクＤは、クランパリング１２５とターンテーブルとの間を通るとともに、ディスクＤの浮きを防止するディスク押え部２５０−１４と底面部２５０−１２との間を通り、ローディングアーム２５６のガイド部２５６−４に沿って引き込まれ、Ｄ−２の位置に到達する。
【００５４】
ディスクＤがさらに引き込まれると、ローディングアーム２５６に当接することにより方向を変えた後、選択されたトレイ２５０上に収納される。選択されたトレイ２５０においては、保持爪２５２−２，２５３−２がディスクＤの縁に付勢され、保持アーム２５２がスプリング２５２−３の付勢力に抗して回動する。そして、ディスクＤがトレイ２５０に収納されると、スプリング２５２−３，２５３−３の付勢力によって保持アーム２５２，２５３が元の位置に復帰して、保持爪２５２−２，２５３−２がディスクＤの縁を保持する。
【００５５】
これにより、ディスクＤは、ディスク押え部２５０−１４とローディングアーム２５６のガイド部２５６−４によって、上下方向の規制を受けていた状態から、保持アーム２５２、２５３と、トレイ２５０の底面部２５０−１２との間による上下規制となる。この時点で、ローディングアーム２５６の付勢力は、ディスクＤをトレイ２５０内に押し込む方向に働く。そして、図１２に示すように、ディスクＤは、ローディングローラ４０１の駆動から離れるが、ローディングアーム２５６と保持アーム２５２の付勢力により、トレイ２５０の底面部２５０−１２上に押し込まれ、固定壁部２５０−１１に当接して停止し、Ｄ−３の位置に納まる。
【００５６】
ローディングアーム２５６の手前端部には、ローディングアーム２５６の回動を検知するスイッチ若しくはセンサ（図示せず）が設けられており、ローディングアーム２５６が所定の角度位置まで時計方向に回動したことで、ローディング動作が完了したことが検知される。
【００５７】
このようにローディング完了が検知されると、ピックスイングカムプレート１３８が待機位置まで戻ることにより、ローディングアーム２５６の突起部２５６−３が左側面１３８−６に当接するので、ローディングアーム２５６も待機位置まで戻る。これにより、リンクアーム１１３に対する付勢が解除されるので、スライドリンク１１４は、スプリング４１４によって、中間位置に復帰する。すると、スライドリンク１１４のトレイ駆動部１１４−１、駆動補助部１１４−２が、それぞれテーパカム部２５０−２２、スプリング保持部２５０−１３から外れるので、図２２（ｂ）に示すように、トレイ可動部２５０Ａは、スプリング４６０の付勢力によって上方に回動し、ディスクＤが通過できる許容位置から通過できない規制位置となる。つまり、トレイ２５０に収納されたディスクＤは、トレイ可動部２５０Ａの可動壁部２５０−２１によって規制され、飛び出すことができない状態となる。
【００５８】
［３．イジェクト動作］
ディスクＤのイジェクト動作においては、図１８に示すように、ピックスイングカムプレート１３８をローディング動作時よりも更に矢印Ｂ方向に移動させる。同時に、ローディングローラ４０１をディスク排出方向に回転させる。これにより、ローディングアーム２５６の突起部２５６−３が、ピックスイングカムプレート１３８の左側面１３８−６の穴１３８−５に入るので、スプリング４５６の付勢力によって、待機位置からローディング位置に回動する。
【００５９】
また、ピックスイングカムプレート１３８の移動により、リンクアーム１１３が反時計方向に回動し、スライドリンク１１４が右に移動する。スライドリンク１１４に一体で形成されたトレイ駆動部１１４−１と駆動補助部１１４−２は、図１１、図２２（ｃ）に示すように、トレイ可動部２５０Ａに形成されたテーパカム部２５０−２２の傾斜面とスプリング保持部２５０−１３の底面下部に当接するので、スプリング保持部２５０−１３に連続して形成されている底面部２５０−１２が保持されながら、トレイ可動部２５０Ａが押し下げられて回動し、ディスクＤの通過経路が確保される。
【００６０】
これと同時に、図１８に示すように、スライドリンク１１４は、リンクアーム１４４を付勢して時計方向に回動させるので、ギア溝１４４−３に係合しているギア溝１４３−１を介して、リンクプレート１４３が前方にスライド移動する。すると、ピックシャーシ１１０に軸支され、スプリング２５４−１によって反時計方向に付勢されたイジェクトアーム２５４が、時計方向に回動する。これにより、イジェクトアーム２５４は、ディスクＤの外周部に当接して、ディスクＤを蹴り出す。排出されるディスクＤは、保持アーム２５２をスプリング２５２−３の付勢力に抗して時計方向に回動させるとともに、ローディングアーム２５６も、スプリング４５６の付勢力に抗して反時計方向に回動させる。
【００６１】
これによりディスクＤは、ディスク挿入口側に進路を変え、既に回転しているローディングローラ４０１とディスクガイドの間に押し込まれて、この間に挟持され、外部に排出される。ディスクＤが所定量排出されると、ディスク検知のスイッチ若しくはセンサが働き、ローディングローラ４０１が停止し、イジェクト動作を完了する。
【００６２】
イジェクト動作が完了すると、次にローディング動作、ディスク再生動作、停止状態にするかは、制御回路からの指令によって決定されるが、停止状態とするならば、ピックスイングカムプレート１３８を矢印Ｂと逆方向に移動することで、ローディングアーム２５６も待機位置まで戻る。これにより、リンクアーム１１３に対する付勢が解除されるので、スライドリンク１１４は、スプリング４１４によって、中間位置に復帰する。すると、スライドリンクのトレイ駆動部１１４−１、駆動補助部１１４−２が、それぞれテーパカム部２５０−２２、スプリング保持部２５０−１３から外れるので、トレイ可動部２５０Ａは、スプリング４６０の付勢力によって上方に回動し、ディスクＤが通過できる許容位置から通過できない規制位置となる。
【００６３】
［４．ディスク再生動作］
ディスク再生を行う場合には、ピックスイングカムプレート１３８の後方（矢印Ｂと逆方向）への移動によって、図２に示すように、ピックスイングアーム１３１を時計方向に回動させるとともに、ピックアーム１３０を反時計方向に回動させる。これにより、ターンテーブルとクランパリング１２５との間に所望のディスクＤが入るように、ドライブシャーシ１２０が振り込まれる。
【００６４】
ピックスイングカムプレート１３８の移動によって、ローディングアーム２５６は、その突起部２５６−３が絞り部１３８−３に当接するので、スプリング４５６の付勢力に抗して、再生位置（ディスクＤからガイド部２５６−４が離れる位置）に回動する。
【００６５】
そして、ディスクＤを保持するトレイ２５０を下げて、ディスクＤをターンテーブルに載せ、クランプアーム１２４を下降させることにより、クランパリング１２５とターンテーブルによってディスクＤを挟持する。その後、保持アーム２５２，２５３をドラムカム２１０により回動させてディスクＤの半径方向及び厚み方向の規制を解除する。更に、トレイ２５０をディスクＤから下げることにより、ディスク再生時のクリアランスを確保する。
【００６６】
さらに、スピンドルモータによってターンテーブル上のディスクＤを回転させて、送り機構が移動させる光学ピックアップによって、記録された情報を読み取る。再生状態から収納状態に戻す場合には、上記と逆の動作をする。
【００６７】
［Ｄ．効果］
以上のような本実施形態によれば、トレイ可動部２５０Ａが上方に回動しているときには、ディスクＤの移動を規制できるので、ディスクＤがその半円以上の円弧で支持され、振動等が加わっても、ディスクＤのずれや飛び出しが確実に防止される。また、トレイ可動部２５０Ａが下方に回動しているときには、ディスクＤが通過する経路が確保される。このため、トレイ可動部２５０Ａの円弧の開口側を、ディスク挿入口に対して斜めに向けることによって幅方向の所要スペースを節約しても、ディスクＤの保持、移動を確実に行うことができる。
【００６８】
また、トレイ可動部２５０Ａがトレイ駆動部１１４−１によって下方に付勢されるときには、駆動補助部１１４−２がスプリング保持部２５０−１３の底面を支持するので、トレイ２５０全体が傾斜することが防止される。そして、トレイ可動部２５０Ａ上を通過するディスクＤは、ディスク押え部２５０−１４によってディスクの浮きが防止されるので、正確な移動を実現できる。さらに、トレイ可動部２５０Ａ、ヒンジ部２５０Ｂは、トレイ２５０と一体に形成されているので、構成が簡素であり、製造が容易となる。
【００６９】
トレイ可動部２５０Ａは、その可動壁部２５０−２１が固定壁部２５０−１１と協働して、ディスクＤの移動を規制するが、さらに、保持アーム２５２，２５３によっても、ディスクＤを確実に保持することができる。特に、保持アーム２５２は、ディスクＤの収納時に、ディスクＤを押し込むように機能することができる。
【００７０】
トレイ可動部２５０Ａを付勢しているスプリング４６０は、一本の線状部材であるため、非常に構造が単純であり、トレイ２５０の積層方向のスペースをとらず、トレイ２５０の小型化に寄与する。また、トレイ可動部２５０Ａを可動させるスライドリンク１１４は、ピックシャーシ１１０の前壁に左右にスライド移動可能に設けられるとともに、イジェクトアーム２５４を駆動させる部材も兼ねているので、内部のスペースを有効活用できる。
【００７１】
さらに、ローディングアーム２５６によって、ディスクＤの移動経路を変えることができるので、上記のように、トレイ２５０の開口側をディスク挿入口に対して斜め方向とし、ピックアーム１３０をトレイ２５０に近接して配設することができ、ディスク装置を幅方向に小型化できる。特に、挿入、排出されるディスクＤは、ピックアーム１３０上のクランプアーム１２４とターンテーブルとの間を通過させるので、ピックアーム１３０とトレイ２５０を非常に近接させて、ディスク装置を小型化させることができる。
【００７２】
［Ｅ．他の実施形態］
本発明は、上記のような実施形態に限定されるものではない。例えば、上記の実施形態において、ヒンジ部２５０Ｂを弾性を持つ金属製の材料で形成することにより、スプリング４６０を省略することもできる。また、ヒンジ部２５０Ｂを、水平な軸を中心に回動する構造とすることも可能である。トレイ可動部２５０の可変可能な角度の設定も自由であり、規制位置にあるときに、水平よりも上に回動する構成として、ディスクＤの飛び出しを防止してもよい。可動壁部の形状も、ディスクの外縁を保持できるものであれば、単なる突起やピン、爪等でもよく、上記の実施形態で例示したものには限定されない。
【００７３】
また、トレイを昇降させるための機構は、ドラムカムによるものには限定されない。保持アームを付勢する付勢部材も、上記のようなプリングには限定されず、板バネ等であってもよいし、保持アーム自体が、弾性力を有し、付勢部材として機能する材質で形成されていてもよい。
【００７４】
また、本発明は、上記のようなドライブシャーシを回転させて振り込むタイプのディスク装置に適しているが、回転式でない振り込み、例えば、ドライブシャーシをスライド移動させて振り込むタイプのディスク装置に適用してもよい。また、本発明は、選択されたディスクの上下方向に退避スペースを確保できるため、ディスクの上下をクランプするディスク装置に適しているが、ターンテーブル上にディスクの内径を保持する部材を備え、クランパリング等を必要としないディスク装置に適用してもよい。
【００７５】
また、各部材及びその配置間隔、動作距離等についても、自由である。また、本発明は、ＣＤやＤＶＤ等を扱うディスク装置に適しているが、これに限定されるものではなく、平板状の記録媒体に広く適用可能である。さらに、本発明は、振動に強いため、車載用のディスク装置に適しているが、これに限定されるものではなく、据置型、ポータブル型等、種々のディスク装置にも適用可能である。
【図面の簡単な説明】
【００７６】
【図１】本発明のディスク装置の一実施形態を示す平面図
【図２】図１のディスク再生時を示す平面図
【図３】図１のディスク装置のトレイを示す平面図（ａ）、正面図（ｂ）
【図４】図３のトレイに設けられたスプリングを示す平面図（ａ）、正面図（ｂ）、右側面図（ｃ）
【図５】図３のトレイの保持アームによるディスク保持状態を示す平面図
【図６】図３のトレイの保持アームのディスク解放状態を示す平面図
【図７】図３のトレイの積層状態を示す右側面図
【図８】図３のトレイの保持アームとドラムカムを示すディスク保持状態の平面図（ａ）（ｂ）、ディスク解放状態の平面図（Ｃ）
【図９】図１のディスク装置の待機状態を示す平面図
【図１０】図１のディスク装置のディスク挿入開始状態を示す平面図
【図１１】図１のディスク装置のディスク移動途中を示す平面図
【図１２】図１のディスク装置のディスク収納状態を示す平面図
【図１３】図１のディスク装置のピックスイングカムプレートを示す左側面図（ａ）、平面図（ｂ）
【図１４】図１のディスク装置のピックシャーシに設けられたスライドリンクを示す平面図（ａ）、正面図（ｂ）
【図１５】図１のディスク装置の規制位置にあるトレイとスライドリンクを示す平面図（ａ）、正面図（ｂ）
【図１６】図１のディスク装置の許容位置にあるトレイとスライドリンクを示す平面図（ａ）、正面図（ｂ）
【図１７】図１のディスク装置のイジェクトアームの待機状態を示す平面図
【図１８】図１のディスク装置のイジェクトアームのディスク排出状態を示す平面図
【図１９】図１のディスク装置のリンクアームを示す平面図
【図２０】図１のディスク装置のリンクアームを示す平面図（ａ）、正面図（ｂ）
【図２１】図１のディスク装置のリンクプレートを示す平面図（ａ）、待機位置にある場合の右側面図（ｂ）、ディスク排出位置にある場合の右側面図（ｃ）
【図２２】図１のディスク装置のトレイを示す右側面図（ａ）、規制位置にある場合の右側面図（ｂ）、許容位置にある場合の右側面図（ｃ）
【符号の説明】
【００７７】
１１０…ピックシャーシ
１１３…リンクアーム
１１３−３…後端部
１１３−４…前端部
１１４…スライドリンク
１１４−１…トレイ駆動部
１１４−２…駆動補助部
１１４−３…突出部
１２０…ドライブシャーシ
１２３…ターンテーブル
１２４…クランプアーム
１２５…クランパリング
１３０…ピックアーム
１３０−１，１３１−１…軸
１３１…ピックスイングアーム
１３１−２…ローラ
１３８…ピックスイングカムプレート
１３８−１…カム
１３８−２…押上部
１３８−３…絞り部
１３８−４…付勢部
１３８−５，２５０−２，３…穴
１３８−６…左側面
１４３…リンクプレート
１４３−１，１４４−３…ギア溝
１４４…リンクアーム
１４４−２…後端部
１５０…トレイトッププレート
１５１…トレイボトムプレート
１５３，２５２−３，２５３−３，２５４−１，４５６，４１４，４６０…スプリング
２１０…ドラムカム
２１０−１…ディスク選択カム溝
２１０−２…アーム開閉カム溝
２５０…トレイ
２５０−４，５，６…爪部
２５０−７…ロック穴
２５０−１１…固定壁部
２５０−１２…底面部
２５０−１３…スプリング保持部
２５０−１４…ディスク押え部
２５０−２１…可動壁部
２５０−２２…テーパカム部
２５０Ａ…トレイ可動部
２５０Ｂ…ヒンジ部
２５２，２５３…保持アーム
２５２−１，２５３−１，２５６−３…突起部
２５２−２，２５３−２…保持爪
２５４…イジェクトアーム
２５６…ローディングアーム
２５６−１…軸
２５６−４…ガイド部
４０１…ローディングローラ
４６０−１…先端部
Ｄ，Ｄ−１，Ｄ−２，Ｄ−３…ディスク
Ｔ…溝終端
【図１】
2006216186.tif 000003
【図２】
2006216186.tif 000004
【図３】
2006216186.tif 000005
【図４】
2006216186.tif 000006
【図５】
2006216186.tif 000007
【図６】
2006216186.tif 000008
【図７】
2006216186.tif 000009
【図８】
2006216186.tif 000010
【図９】
2006216186.tif 000011
【図１０】
2006216186.tif 000012
【図１１】
2006216186.tif 000013
【図１２】
2006216186.tif 000014
【図１３】
2006216186.tif 000015
【図１４】
2006216186.tif 000016
【図１５】
2006216186.tif 000017
【図１６】
2006216186.tif 000018
【図１７】
2006216186.tif 000019
【図１８】
2006216186.tif 000020
【図１９】
2006216186.tif 000021
【図２０】
2006216186.tif 000022
【図２１】
2006216186.tif 000023
【図２２】
2006216186.tif 000024